(57)【要約】      （修正有）【課題】自動車のエアバッグまたは類似した個人用の安全システムの点火装置において、単純化された製造工程を特徴とする金属／固定手段基部またはソケットを提供する。【解決手段】点火装置１には、導電性材料による２本のリード２，３があり、適切な表面腐食保護を有している。また、金属/ガラス基部４、ハウジング５、触媒または火薬でできている点火ヒューズ６、カバー７、電気点火要素８、リング９および絶縁本体１０からなる。特に、リング９が冷間成形によって製造され、それにより、材料を経済的に使用し、点火装置1の製造費用の有意な節減とともに製造時間が減少する。【選択図】図１
2009014336.tif 000002
【特許請求の範囲】
【請求項１】
特に自動車のエアバッグまたは類似した個人用の安全システムの点火装置のための金属／固定手段基部であって、
少なくとも1つのリング開口部および該リング開口部をしっかりと封止する絶縁本体(10)を含み、該絶縁本体(10)を通じてしっかりと封止し、電気的にリング(9)から絶縁される導電体およびリードを形成する少なくとも1つのピン(3)を含む、金属材料から製造されるリング(9)を含む金属／固定手段基部において、該リング(9)は、冷間成形によって該金属材料から製造されることにおいて特徴付けられる、金属／固定手段基部。
【請求項２】
前記リング(9)が前記リング開口部に突出する少なくとも1つの突起（9.2）で一つの部分として作成されることにおいて特徴付けられる、請求項1記載の基部。
【請求項３】
少なくとも1つのさらなるピン(2)が前記絶縁本体(10)にしっかりと封止する導電体リードとして設計され、該さらなるピン(2)が、少なくとも1つの突起（9.2）で連結され、好ましくは該突起（9.2）の自由端（9.2.1）で連結されることにおいて特徴付けられる、請求項2記載の基部。
【請求項４】
特に自動車のエアバッグまたは類似した個人用の安全システムの点火装置のための金属／固定手段基部であって、
少なくとも1つのリング開口部および該リング開口部をしっかりと封止する絶縁本体(10)を含み、該絶縁本体(10)を通じてしっかりと封止し、電気的にリング(9)から絶縁される導電体およびリードを形成する少なくとも1つのピン(3)を含む、金属材料から製造されるリング(9)を含む金属／固定手段基部において、該リング(9)が前記リング開口部に突出する少なくとも1つの突起（9.2）で一つの部分として作成され、少なくとも1つのさらなるピン(2)が前記絶縁本体(10)にしっかりと封止する導電体リードとして設計され、該さらなるピン(2)が、少なくとも1つの突起（9.2）で連結され、好ましくは該突起（9.2）の自由端（9.2.1）で連結されることにおいて特徴付けられる、金属／固定手段基部。
【請求項５】
前記リング(9)が冷間成形によって前記金属材料から製造されることにおいて特徴付けられる、請求項4記載の基部。
【請求項６】
前記リング(9)は、鋼鉄で、好ましくは純度が高い鋼鉄でできていることにおいて特徴付けられる、請求項1から5のいずれかに記載の基部。
【請求項７】
前記リング(9)は、前記リング開口部の領域で構築されることにおいて特徴付けられる、請求項1から6のいずれかに記載の基部。
【請求項８】
前記少なくとも1つのさらなるピン(2)が、例えば、硬質ハンダ付けのようなハンダ付け、または、レーザ溶接または抵抗溶接のような溶接により、前記突起（9.2）に連結されることにおいて特徴付けられる、請求項1から7のいずれかに記載の基部。
【請求項９】
前記少なくとも1つの突起（9.2）が、前記リング(9)の前方側面に、好ましくは該リング(9)の前方側面上に提供され、前記基部(4)が組み立てられる場合前記点火装置(1)の外側の側面を形成することにおいて特徴付けられる、請求項1から8のいずれかに記載の基部。
【請求項１０】
前記リング(9)が、絶縁本体（10）で単一のリング開口部を含み、それを通じて、前記少なくとも2つのピン（2、3）のリードがしっかりと封止されることにおいて特徴付けられる、請求項1から9のいずれかに記載の基部。
【請求項１１】
前記リング(9)は、鋼鉄で、好ましくは純度が高い鋼鉄でできていることにおいて特徴付けられる、請求項1から10のいずれかに記載の基部。
【請求項１２】
前記少なくとも1つのピン（2、3）が、例えば、ニッケルを含む鉄の合金のような鉄の合金の金属材料で作成されることにおいて特徴付けられる、請求項1から11のいずれかに記載の基部。
【請求項１３】
前記絶縁本体(10)が前記リングにおいて保たれる、好ましくは前記少なくとも1つの突起（9.2）によって保たれることにおいて特徴付けられる、請求項1から12のいずれかに記載の基部。
【請求項１４】
前記絶縁本体がガラス、セラミック、ガラスセラミック合成物、または、プラスチックでできていることにおいて特徴付けられる、請求項1から13のいずれかに記載の基部。
【請求項１５】
前記リング(9)が、絶縁本体（10）を有する単一のリング開口部を含み、それを通じて、前記少なくとも2つのピン（2、3）のリードがしっかりと封止されることにおいて特徴付けられる、請求項1から14のいずれかに記載の基部。
【請求項１６】
特に自動車のエアバッグまたは類似した個人用の安全システムの点火装置であって、
点火ヒューズ(6)を含むハウジング(5)を含み、それ（ハウジング）は、少なくとも1つの基部(4)によって少なくとも1つの側面にしっかりと封止され、少なくとも1つのリング(9)、該リング(9)の開口部において提供される少なくとも1つの絶縁本体、および、該絶縁本体(10)を通じてしっかり封止する、言い換えれば、該ハウジング(5)に提供された少なくとも1つの点火要素(8)を制御するため、導電体およびリードを形成する少なくとも1つのピン（2、3）から構成された点火装置であって、該基部(4)が請求項１から15のいずれかにより具体化されることにおいて特徴付けられる点火装置。
【発明の詳細な説明】
【技術分野】
【０００１】
本発明は、請求項1の前文による金属／固定手段基部またはソケット（金属／固定材料貫通部）、および、請求項16の前文によるそのような基部またはソケットを有する点火装置に関する。
【背景技術】
【０００２】
個人用の安全システム、すなわちエアバッグのための点火装置のための、金属/ガラス貫通接続として設計された金属／固定材料貫通部としても知られる金属／固定手段基部またはソケットは、公知技術である(DE 10 2005 009 644 A1 , EP 1 061 325 A1)。これらの基部は、本質的にリング型の基部本体、または、ガラスまたはガラス・プラグ、および、少なくとも1つのピン、または、絶縁本体を貫通し、溶解によって封止されるリード、でできている絶縁本体の形で、取付け手段または取付け材料によってしっかりと封止されるリング開口部を有するリングから構成され、そこで、（ピンまたはリードは）点火装置を形成する金属／ガラス貫通接続の外面上に導電体として外側の電気連結要素（プラグ）を形成し、適切な触媒または火薬を含む点火ヒューズに点火するように点火装置を作動させるのに役立つ電気点火要素で点火装置の内側と連結される。
【特許文献１】DE 10 2005 009 644 A1
【特許文献２】EP 1 061 325 A1
【発明の開示】
【０００３】
本発明の目的は、単純化された製造工程を特徴とする金属／固定手段基部またはソケットを示すことである。この目的は、請求項1または3に対応する金属／固定手段基部によって達成される。自動車の特にエアバッグにおける個人用の安全システムの点火装置は、請求項16の主題である。
【０００４】
本発明の第1の態様によれば、金属／固定手段基部またはソケットのリングまたはリング本体は金属材料で製造され、好ましくは適切な出発原料からの冷間成形による純度が高い鋼鉄で製造される。安価な製造に加えて、この工程の利点は、適用される冷間成形または高い変形圧力が、リングの高強度さらには高密度を提供することである。
【０００５】
本発明の別の態様では、リングまたはリング本体は、その少なくとも1つの開口部またはリング開口部において、該リング開口部に突出する少なくとも1つの突起を備え、その（突起の）上で、接地導電体または接地コネクタとして役立つピンが最適に固定される。この設計は、金属／固定手段基部の製造の間、突起に固定されるピンを前もってリングに搭載し、絶縁本体のアセンブリの間、例えば、前記絶縁本体を形成するガラスビーズをねじ込み、さらなるピンを備えるアセンブリ補助としてこのピンを使用し、例えば、絶縁本体を形成するガラスビーズまたはガラス・プラグを溶解させるため、このように形成された配列を必要な温度に加熱するのを可能にする。この工程は、金属／固定手段基部の製造の間、有意に処理を単純化する。
【０００６】
本発明の取付け手段は、少なくとも1つの固定材料でできている少なくとも1つの要素である。本発明の固定材料は、例えばガラス、セラミック、ガラスセラミック合成物、または、プラスチックの形の電気的な絶縁材料である。
【０００７】
本発明のさらなる実施態様、利点および可能な用途は、以下の実施態様の説明および図面によって開示される。請求項のあらゆる要約またはあらゆる直接引用に関係なく、記載されるおよび／または表わされるだけのすべての特性またはあらゆる組合せは、基本的に本発明の主題である。請求項の内容はまた、発明の説明に組み込まれる。
【発明を実施するための最良の形態】
【０００８】
一般に図面において1で表わされ、特に自動車のエアバッグまたは類似した個人用の安全システムを意図される点火装置は本質的に、
例えばニッケル鉄のような導電性材料または金属材料でできていて、例えばニッケル層の形の適切な表面腐食保護を有する、2つのリードまたはピン2および3；
金属/ガラス基部4の形、または、ピン2および3のための、密閉して封止された電気的な金属/ガラス貫通部の形の金属／固定手段ソケットまたは基部；
点火装置1の内側の空間を囲むスリーブのようなハウジング5；
そのような点火ヒューズに適切である触媒または火薬でできている前記内側の空間内の点火ヒューズ6；
カバー7；および
例えば、点火またはワイヤ・ブリッジの形、または、他の電気点火要素の形において点火ヒューズ6内で提供され、ピン2および3の端部でそこに連結される電気点火要素8、を含む。
【０００９】
点火装置1は、公知の方法において、個人用の安全要素（エアバッグ）を作動させるようにガスを生成するための電気的に制御可能なガス発生装置の一部である。表された実施態様における金属/ガラス貫通部または金属/ガラス基部4は、金属材料で製造され、好ましくは冷間成形により、言い換えれば、点火装置1の内側の空間から離れて面するリング9の下部の前部側面のリング開口部に放射状にリング壁9.1から突出する突起9.2と一体で純度が高い鋼鉄で製造されるリング本体またはリング9から構成される。取付けまたは絶縁本体10はリング9において保たれ、それ（本体）を通じて、2つのピン2および3は、互いに平行になり、リング9の軸に平行になり、したがってまた、密閉して封止され、互いに電気的に絶縁される、スリーブのようなハウジング5の軸に平行になり、したがって、点火装置1の内側に突出するピン2および3の端部を生じ、そして、点火要素8および点火装置1または金属／ガラス基部4から突出するピン2および3の端部と連結し、連結プラグとして役立つ。絶縁本体10は、そのような絶縁本体のための適切な材料でできていて、例えば、ガラス/金属融成物結合によってリング9と連結され、ピン2および3がそれに対して溶解されるガラス・プラグとして具体化される。例えばセラミック、セラミック-ガラス合成物、エポキシ樹脂などのプラスチックのような、他の電気的な絶縁材料もまた、絶縁本体10として考えられる。
【００１０】
ピン2は集団または接地接続を形成し、この目的のため、例えば、硬質ハンダのようなハンダ付けにより、または、抵抗溶接またはレーザ溶着のような溶接により、突起9.2の自由端9.2.1と電気的に連結される。さらに、突起9.2はまた、絶縁本体10の追加的な機械または取付け支持体を形成する。
【００１１】
表された実施態様の金属／ガラス基部4はスリーブのようなハウジング5の端部に挿入され、封止機構を形成するため、この端部上でハウジング5を有しそのリング9で連結される、言い換えれば、例えば、変形による圧力嵌め、または、リング9上のハウジング5の押圧、または、抵抗またはレーザ溶着のような溶接により連結される。金属／ガラス基部4をハウジング5に連結する他の手段もまた、可能である。
【００１２】
上記した点火装置1の際立った特徴は、リング9が冷間成形によって製造され、それにより、材料を経済的に使用し、点火装置1の製造の費用の有意な節減に起因して製造時間が減少するということである。リング9の純度が高い鋼鉄材料の使用によりまた、特にリング9から不注意に押圧される絶縁本体10に対して、金属／固定手段基部または金属/ガラス基部4の十分に高い安定性が生じる。
【００１３】
ピン2および3、金属/ガラス基部4およびハウジング5のために使用される金属材料は、制御された製造工程においてニッケルでメッキされたものであってもよい。突起9.2は、グラウンド導電体への、すなわち、ピン2への金属/ガラス基部の単純化された連結を可能にする。グラウンド導電体のこの単純化された連結は特に、両方の伝導体のための単純かつ同一のピン2および3の使用を可能にする。ピン2および3および絶縁本体10のアセンブリ、特に絶縁本体10を製造するために使用するガラスビーズのアセンブリは、前もって突起9.2、絶縁本体にピン2が載置される場合、例えば、金属/ガラス基部4を形成している要素がさらなる工程の間一緒に確実に保たれるように、絶縁本体10を形成するガラスビーズは、リング9に保たれるピン2上にピン3と共に配置されることができるという事実によって、かなり単純化される。
【００１４】
突起9.2を有するピン2の連結はハンダ材料の低消費でのハンダ付けによって達成されることができる、または、溶接により突起9.2とピン2を連結することは上記の通りに可能であり、いずれの場合にも、最適温度は、突起9.2の領域での減少した質量により、溶接の短い工程時間によって達成されることができる。
【００１５】
本発明は、例示的な実施態様に基づいて上記された。修正および変更が、本発明が基づく発明の観念を放棄せずに可能であることは、言うまでもない。
【図面の簡単な説明】
【００１６】
本発明は、図面に関する例示的な実施態様に基づいて、さらに詳細に以下に記載される：そこで、
【図１】自動車の個人用の安全システムまたはエアバッグの点火装置断面図の単純化された描写である;
【図２】図1の装置の金属/ガラス貫通接続の形の金属／固定手段基部の上面図の単純化された描写である。
【符号の説明】
【００１７】
1  点火装置
2、3  金属ピン、または、リード
4  金属／ガラス基部、または、金属/ガラス貫通部
5  ハウジング
6  点火ヒューズ
7  カバー
8  電気点火要素
9  リング
9. 1  リング壁
9.2  突起
9.2.1  端部
10  絶縁本体
【図１】
2009014336.tif 000003
【図２】
2009014336.tif 000004
【外国語明細書】
Metal/fixing-means base or socket for ignition devices for airbags or similar personal safety systems, in particular in motor vehicles and ignition device with such a base
The invention relates to a metal/fixing-means base or socket (metal/fixing-material lead-through) according to the preamble of claim 1 and to an ignition device with such a base or socket according to the preamble of claim 16.
Metal/fixing-means bases or sockets, also known as metall/fixing-material lead-through, for ignition devices for personal safety systems, namely airbags, especially those designed as metal/glass feedthroughs, are known in the art (DE 10 2005 009 644 A1, EP 1 061 325 A1). These bases consist essentially of a ring-shaped base body or ring with a ring opening sealed tightly by the fixing-means or fixing material in form of an insulating body made of glass or a glass plug and of at least one pin or lead leading through the insulating body and sealed by melting, which (pin or lead) forms an outer electrical connecting element (plug) as an electrical conductor on the outer side of the metal/glass feedthrough forming the ignition device and is connected in the interior of the ignition device with an electrical ignition element, which serves to activate the ignition device for igniting the ignition fuse containing a suitable initiator or explosive.
The object of the invention is to present a metal/fixing-means base or socket that features a simplified manufacturing process. This object is achieved by a metal/fixing-means base corresponding to claim1 or 3. An ignition device for personal safety systems in motor vehicles, in particular airbags, is the subject of claim 16.
According to a first aspect of the invention the ring or ring body of the metal/fixing-means base or socket is manufactured from a metal material, preferably of high-grade steel by cold forming from a suitable starting material. In addition to inexpensive production, the advantage of this process is that the cold forming or the high deformation pressure applied gives the ring high strength and also high density.
According to another aspect of the invention the ring or ring body is provided in the area of its at least one opening or ring opening with at least one projection protruding into said ring opening, on which (projection) a pin serving as a ground conductor or ground connector is suitably fastened. This design makes it possible to pre-mount the ring with the pin fastened on the projection during the manufacture of the metal/fixing-means base and then to use this pin as an assembly aid during assembly of the insulating body, e.g. to thread a glass bead forming said insulating body and provided with a further pin and then to heat the array thus formed to the required temperature, for example to melt the glass bead or the glass plug forming the insulating body. This process significantly simplifies the handling during the manufacture of the metal/fixing-means base.
The fixing-means in the invention is at least one element made of at least one fastening material. The fastening material in the invention is an electrically insulating material, for example in the form of glass, ceramic, glass-ceramic composite or plastic.
Further embodiments, advantages and possible applications of the invention are disclosed by the following description of the embodiments and the drawings. All characteristics described and/or depicted alone or in any combination are fundamentally the subject of the invention, regardless of any summarization in the claims or any direct reference. The content of the claims is also incorporated into the description.
The invention is described in more detail below based on an exemplary embodiment with reference to the drawings, in which:
Fig. 1        is a simplified depiction in cross section of an ignition device for personal safety systems or airbags for motor vehicles;
Fig. 2        is a simplified depiction in top view of a metal/fixing-means base in the form of a metal/glass feedthrough of the device in Figure 1.
The ignition device generally designated 1 in the drawings and intended for airbags or similar personal safety systems, in particular in motor vehicles, comprises essentially
two leads or pins 2 and 3 made of an electrically conductive material or metal material, for example of nickel-iron and with suitable surface corrosion protection, for example in the form of a nickel layer,
a metal/fixing-means socket or base in the form of a metal/glass base 4 or in the form of a hermetically sealed electric metal/glass lead-through for the pins 2 and 3,
a sleeve-like housing 5 enclosing an inner space of the ignition device 1,
an ignition fuse 6 within said inner space made of a suitable initiator or explosive that is suitable for such ignition fuses, 
a cover 7 and
an electrical ignition element 8 provided within the ignition fuse 6 and connected there with the ends of the pins 2 and 3, for example in the form of an ignition or wire bridge or in the form of another electrical ignition element.
The ignition device 1 is, in the known manner, part of an electrically controllable gas generator for generating a gas to activate a personal safety element (airbag). The metal/glass lead-through or metal/glass base 4 in the depicted embodiment consists of a ring body or ring 9, which is manufactured from a metal material, preferably from a high-grade steel by means of cold forming, namely as one piece with a projection 9.2, which protrudes radially from the ring wall 9.1 into the ring opening on the lower front side of the ring 9 facing away from the inner space of the ignition device 1. A fixing or insulating body 10 is held in the ring 9, through which (body) the two pins 2 and 3 lead parallel to each other and parallel to the axis of the ring 9 and therefore also parallel to the axis of the sleeve-like housing 5, hermetically sealed and electrically insulated from each other, thus producing the ends of the pins 2 and 3 that protrude into the interior of the ignition device 1 and are connected with the ignition element 8 and the ends of the pins 2 and 3 that project out of the ignition device 1 or the metal/glass base 4 and serve as connecting plugs. The insulating body 10 is made of a suitable material for such insulating bodies and is for example embodied as a glass plug, which is connected with the ring 9 by a glass/metal melt bond and into which the pins 2 and 3 are melted. Other electrically insulating materials are also conceivable for the insulating body 10, for example ceramics, ceramic-glass composites, plastics, for example epoxy resin, etc.
The pin 2 forms the mass or ground connection and for this purpose is also electrically connected with the free end 9.2.1 of the projection 9.2, for example by soldering, e.g. hard soldering, or by welding, for example resistance welding or laser welding. Further, the projection 9.2 also forms an additional mechanical or form-fitting support for the insulating body 10.
The metal/glass base 4 in the depicted embodiment is inserted into an end of the sleeve-like housing 5 and connected with its ring 9 with the housing 5 on this end to form a seal, namely for example by force-fitting through deformation or pressing of the housing 5 on the ring 9 or by welding, for example resistance or laser welding. Other means of connecting the metal/glass base 4 with the housing 5 are also possible.
One of the distinguishing features of the ignition device 1 described above is that the ring 9 is manufactured by cold forming, which results in economical use of material and reduced manufacturing times due to significant savings in costs for the manufacture of the ignition device 1. The use of high-grade steel materials for the ring 9 also results in sufficiently high stability of the metal/fixing-means base or for the metal/glass base 4, especially against the insulating body 10 being inadvertently pressed out of the ring 9.
The metal materials used for the pins 2 and 3, the metal/glass base 4 and the housing 5 can be nickel plated in a controlled production process. The projection 9.2 enables a simplified connection of the metal/glass base to the ground conductor, namely to the pin 2. This simplified connection of the ground conductor especially makes it possible to use simple and identical pins 2 and 3 for both conductors. The assembly of the pins 2 and 3 and the insulating body 10, in particular also the assembly of the glass bead(s) used for manufacturing the insulating body 10 is simplified considerably, namely by the fact that in the case of the pin 2 being pre-mounted on the projection 9.2, the insulating body, e.g. the glass beads forming the insulating body 10 can be placed together with the pin 3 onto the pin 2 held on the ring 9 so that the elements forming the metal/glass base 4 are reliably held together during the further process.
The connection of the pin 2 with the projection 9.2 can be achieved by soldering with low consumption of solder material, or it is possible as described above to connect the pin 2 with the projection 9.2 by welding, in which case optimum temperatures can be achieved with short process times during welding due to the reduced mass in the area of the projection 9.2.
The invention was described above based on an exemplary embodiment. It goes without saying that modifications and variations are possible without abandoning the underlying inventive idea on which the invention is based.
Reference list
1            ignition device
2, 3          metal pin or lead
4            metal/glass base or metal/glass lead-through
5            housing
6            ignition fuse
7            cover
8            electric ignition element
9            ring
9.1            ring wall
9.2            projection
9.2.1        end
10            insulating body
1. Metal/fixing-means base for ignition devices in airbags or similar personal safety systems, especially in motor vehicles, comprising a ring (9) manufactured from a metal material, comprising at least one ring opening and an insulating body (10) tightly sealing said ring opening, and comprising at least one pin (3) forming an electrical conductor and leading tightly sealed through the insulating body (10) and electrically insulated from the ring (9), characterized in that  the ring (9) is manufactured from the metal material by means of cold forming.
2. The base according to claim 1, characterized in that the ring (9) is made as one piece with at least one projection (9.2) protruding into the ring opening.
3. The base according to claim 2, characterized in that at least one further pin (2) designed as an electrical conductor leads tightly sealed through the insulating body (10), and that the further pin (2) is connected with at least one projection (9.2), preferably with an free end (9.2.1) of the projection (9.2).
4. Metal/fixing-means base for ignition devices in airbags or similar personal safety systems, especially in motor vehicles, comprising a ring (9) manufactured from a metal material, comprising at least one ring opening and an insulating body (10) tightly sealing said ring opening, and comprising at least one pin (3) forming an electrical conductor and leading tightly sealed through the insulating body (10) and electrically insulated from the ring (9), characterized in that the ring (9) is made as one piece with at least one projection (9.2) protruding into the ring opening, that at least one further pin (2) designed as an electrical conductor leads tightly sealed through the insulating body (10), and that the further pin (2) is connected with the at least one projection (9.2), preferably with an free end (9.2.1) of the projection (9.2).
5. The base according to claim 4, characterized in that the ring (9) is manufactured from the metal material by means of cold forming.
6. The base according to any one of the foregoing claims, characterized in that the ring (9) is made of steel, preferably of high-grade steel.
7. The base according to any one of the foregoing claims, characterized in that the ring (9) is structured in the area of the ring opening.
8. The base according to any one of the foregoing claims, characterized in that the at least one further pin (2) is connected with the projection (9.2) by soldering, for example by hard soldering, or by welding, for example by laser welding or resistance welding.
9. The base according to any one of the foregoing claims, characterized in that the at least one projection (9.2) is provided on a front side of the ring (9), preferably on a front side of the ring (9) forming an outer side of the ignition device (1) in the case of the base (4) being assembled.
10. The base according to any one of the foregoing claims, characterized in that the ring (9) comprises a single ring opening with an insulating body (10), through which the at least two pins (2, 3) lead through tightly sealed.
11. The base according to any one of the foregoing claims, characterized in that the ring (9) is made of steel, preferably of high-grade steel.
12. The base according to any one of the foregoing claims, characterized in that the at least one pin (2, 3) is made of a metal material, for example of an iron alloy, e.g. of an iron alloy containing nickel.
13. The base according to any one of the foregoing claims, characterized in that the insulating body (10) is held in the ring, preferably by the at least one projection (9.2).
14. The base according to any one of the foregoing claims, characterized in that the insulating body is made of glass, ceramic, glass-ceramic composite or plastic.
15. The base according to any one of the foregoing claims, characterized in that the ring (9) comprises a single ring opening with an insulating body (10), through which the at least two pins (2, 3) lead through tightly sealed.
16. Ignition device for airbags or similar personal safety systems, especially for motor vehicles, comprising a housing (5) containing an ignition fuse (6), which (housing) is tightly sealed on at least one side by at least one base (4), which consists of at least one ring (9), of at least one insulating body provided in an opening of the ring (9) and of at least one pin (2, 3) forming an electrical conductor and leading tightly sealed through the insulating body (10), namely for controlling at least one ignition element (8) provided in the housing (5), characterized in that  the base (4) is embodied according to any one of the foregoing claims.
Abstract
In a metal/glass base or feedthrough of an ignition device for personal safety systems in motor vehicles, comprising a ring manufactured from a metal material, comprising at least one insulating body provided in a ring opening of the ring and tightly sealing said opening, and comprising at least one pin forming an electrical conductor and leading tightly sealed through the insulating body and electrically insulated from the ring, the ring is manufactured from a metal material by means of cold forming.
【図１】
2009014336.tif 000005
【図２】
2009014336.tif 000006